(57)【要約】【課題】無線通信の親機としての受信機から子機としてのワイヤレスマイクに送信される制御信号の受信時における通信品質の安定化を支援する。【解決手段】マイク子機２は、無線通信の１フレームにおいて、アンテナＷＡから送信された制御信号ｓｃＡをマイクアンテナＷ１，Ｗ２により受信する。マイク子機２は、制御信号ｓｃＡの受信品質に基づいて通信信号の送信に用いるアンテナをマイクアンテナＷ１又はマイクアンテナＷ２から選択する。マイク子機２は、選択されたアンテナを用いて通信信号を送信する。マイク子機２は、アンテナＷＢから送信された制御信号ｓｃＢをマイクアンテナＷ１，Ｗ２により受信する。マイク子機２は、制御信号ｓｃＢの受信品質に基づいて通信信号の送信に用いるアンテナをマイクアンテナＷ１又はマイクアンテナＷ２から選択する。マイク子機２は、選択されたアンテナを用いて通信信号を送信する。【選択図】図１
2019149653.tif 000002
【特許請求の範囲】
【請求項１】
第１アンテナ及び第２アンテナを有し、時分割多重通信方式に準じた無線通信が可能なマイクと、
第３アンテナ及び第４アンテナを有し、前記無線通信が可能な受信機と、を備え、
前記マイクは、前記無線通信の１フレームにおいて、
前記第３アンテナから送信された第１制御信号を前記第１アンテナ及び前記第２アンテナにより受信し、前記第１制御信号の受信品質に基づいてデータ送信に用いるアンテナを前記第１アンテナ又は前記第２アンテナから選択し、選択された前記第１アンテナ又は前記第２アンテナを用いて前記データ送信を行い、
前記第４アンテナから送信された第２制御信号を前記第１アンテナ及び前記第２アンテナにより受信し、前記第２制御信号の受信品質に基づいてデータ送信に用いるアンテナを前記第１アンテナ又は前記第２アンテナから選択し、選択された前記第１アンテナ又は前記第２アンテナを用いて前記データ送信を行う、
ワイヤレスマイクシステム。
【請求項２】
前記受信機は、
前記無線通信の１フレームの前半期間において、前記第１制御信号を前記第３アンテナから送信し、
前記無線通信の１フレームの後半期間において、前記第２制御信号を前記第４アンテナから送信する、
請求項１に記載のワイヤレスマイクシステム。
【請求項３】
前記受信機は、
前記第１制御信号、前記第２制御信号をそれぞれ送信するためのアンテナを、前記第３アンテナ及び前記第４アンテナを互いに入れ替える動作を所定時間の経過毎に繰り返す、
請求項１に記載のワイヤレスマイクシステム。
【請求項４】
前記受信機は、
前記無線通信の１フレームの前半期間において、前記第１制御信号を前記第３アンテナから送信し、
前記無線通信の１フレームの前半期間において、前記第２制御信号を前記第４アンテナから送信する、
請求項１に記載のワイヤレスマイクシステム。
【請求項５】
前記マイクは、
前記受信機から送信された前記第１制御信号の受信レベルが閾値以下である場合に、前記第２制御信号を受信し、その受信された前記第２制御信号の受信品質に基づいて選択された前記第１アンテナ又は前記第２アンテナを用いて前記データ送信を行う、
請求項１に記載のワイヤレスマイクシステム。
【請求項６】
前記マイクは、
前記受信機から送信された前記第１制御信号の受信エラー回数が所定数以上である場合に、前記第２制御信号を受信し、その受信された前記第２制御信号の受信品質に基づいて選択された前記第１アンテナ又は前記第２アンテナを用いて前記データ送信を行う、
請求項１に記載のワイヤレスマイクシステム。
【請求項７】
第１アンテナ及び第２アンテナを有し、時分割多重通信方式に準じた無線通信が可能なマイクと、
第３アンテナ及び第４アンテナを有し、前記無線通信が可能な受信機と、を備えたワイヤレスマイクシステムにおける無線通信方法であって、
前記マイクは、前記無線通信の１フレームにおいて、
前記第３アンテナから送信された第１制御信号を前記第１アンテナ及び前記第２アンテナにより受信し、前記第１制御信号の受信品質に基づいてデータ送信に用いるアンテナを前記第１アンテナ又は前記第２アンテナから選択し、選択された前記第１アンテナ又は前記第２アンテナを用いて前記データ送信を行い、
前記第４アンテナから送信された第２制御信号を前記第１アンテナ及び前記第２アンテナにより受信し、前記第２制御信号の受信品質に基づいてデータ送信に用いるアンテナを前記第１アンテナ又は前記第２アンテナから選択し、選択された前記第１アンテナ又は前記第２アンテナを用いて前記データ送信を行う、
無線通信方法。
【発明の詳細な説明】
【技術分野】
【０００１】
本開示は、複数のマイクのそれぞれとの間で時分割多重通信を用いて送信された音声信号を受信するワイヤレスマイクシステム及び無線通信方法に関する。
【背景技術】
【０００２】
マイク（例えば、ワイヤレスマイク）を用いたワイヤレスマイクシステムの無線通信では、１フレーム期間に、例えば２４個のスロットを用いて親機（例えば受信機）とそれぞれのマイク子機（例えばワイヤレスマイク）との間で無線信号が送受信される。一般に、ワイヤレスマイクから見てダウンリンク用のスロットＳ０〜スロットＳ１１は、親機からマイク子機への通信に使用される。ワイヤレスマイクから見てアップリンク用のスロットＳ１２〜スロットＳ２３は、マイク子機から親機への通信に使用される。また、１つのスロット（例えばスロットＳ０）は、親機からマイク子機への制御信号を送るために使用される。
【０００３】
ここで、一般的なダイバーシティ方式により無線通信を行う場合、親機は少なくとも２つの親機アンテナを有する。同様に、マイク子機は、少なくとも２つのマイクアンテナを有する。例えば、親機が上述したダウンリンク用のスロットＳ０〜Ｓ１１のうちスロットＳ４で親機アンテナの一方を用いて通信信号を送信すると、マイク子機は、２つのマイクアンテナのそれぞれを用いて親機からの通信信号を受信する。マイク子機は、２つのマイクアンテナのうち、通信品質が良好なマイクアンテナ（例えば受信レベルが高い方のマイクアンテナ）を選択する。マイク子機は、その選択されたマイクアンテナを用いて、上述したアップリンク用のスロットＳ１２〜Ｓ２３のうちスロットＳ１６で通信信号を送信する。
【０００４】
親機は、２つの親機アンテナを用いてマイク子機からの通信信号を受信する。親機は、２つの親機アンテナのうち、通信品質が良好な親機アンテナ（例えば受信レベルが高い方の親機アンテナ）を選択する。親機は、その選択された親機アンテナを用いて、次の１フレーム期間で制御信号及び通信信号を送信する。上述した１フレーム期間での動作手順が繰り返され、親機とマイク子機の間で安定した無線通信が行われる。
【０００５】
特許文献１には、１つの親機と複数のマイク子機とを備え、親機は各マイク子機と時分割多重通信方式で無線通信を行う無線通信システムが開示されている。この無線通信システムでは、親機は、他の無線通信システムへの電波干渉を抑制するために、遠方のマイク子機への送信電力を通信維持可能な程度に抑制する。
【先行技術文献】
【特許文献】
【０００６】
【特許文献１】特開２０１５−５０７２７号公報
【発明の概要】
【発明が解決しようとする課題】
【０００７】
ここで、上述した前半のダウンリンク用のスロットでマイク子機が親機からの信号を受信し、かつ後半のアップリンク用のスロットでマイク子機が親機に信号を送信する対称型の通信方式ではなく、高品質な音声信号を親機に送信するために１フレーム期間の前半のスロットでもマイク子機が音声信号（例えば、ワイヤレスマイクが収音した音声の信号）を親機に送信するワイヤレスマイクシステムを想定してみる。すると、１フレーム期間のうち、上述したスロットＳ４は、マイク子機から親機へ音声信号を送信する送信スロットに使用される。このため、マイク子機は、スロットＳ４より前に親機から通信信号を受信できないので、２つのマイクアンテナのうち通信品質が良好なマイクアンテナ（例えば受信レベルが高いマイクアンテナ）を選択する処理を実行できない。
【０００８】
従って、例えば後半のアップリンク用のスロットＳ１６では、マイク子機は、受信レベルの高低が不定なマイクアンテナを用いて親機へ音声信号を送信することになる。一方、親機は、スロットＳ１６で受信レベルの高低が不定なマイクアンテナを使用してマイク子機から送信された通信信号を基に、次のフレームのスロットＳ０の時点で使用する２つの親機アンテナのいずれかを選択しなければならない。なお、スロットＳ０では、親機は複数のマイク子機のそれぞれのうちどのマイク子機と通信するか等を定めた制御信号をそれぞれのマイク子機に送信する必要がある。
【０００９】
この結果、親機は、スロットＳ０の時点で制御信号をそれぞれのマイク子機に送信する際、アンテナダイバーシティを実行できていない上で選択した親機アンテナ（つまり、通信品質に応じた適応的な親機アンテナと判断されていない親機アンテナ）を用いることがあった。言い換えると、それぞれのマイク子機は、スロットＳ０の時点で親機からの制御信号を安定的に受信できないという課題がある。
【００１０】
また、上述した特許文献１では、１つの親機が複数のマイク子機と無線通信を行う場合、送信電力を下げることで、他の無線通信システムへの干渉を抑制することは開示されるが、上述したダイバーシティ方式による無線通信においてマイク子機において親機からの制御信号を安定的に受信することの対策については特に考慮されていない。
【００１１】
本開示は、上述した従来の状況に鑑みて案出され、無線通信の親機としての受信機から子機としてのワイヤレスマイクに送信される制御信号の受信時における通信品質の安定化を支援し、高品質な音声信号を提供するワイヤレスマイクシステム及び無線通信方法を提供することを目的とする。
【課題を解決するための手段】
【００１２】
本開示は、第１アンテナ及び第２アンテナを有し、時分割多重通信方式に準じた無線通信が可能なマイクと、第３アンテナ及び第４アンテナを有し、前記無線通信が可能な受信機と、を備え、前記マイクは、前記無線通信の１フレームにおいて、前記第３アンテナから送信された第１制御信号を前記第１アンテナ及び前記第２アンテナにより受信し、前記第１制御信号の受信品質に基づいてデータ送信に用いるアンテナを前記第１アンテナ又は前記第２アンテナから選択し、選択された前記第１アンテナ又は前記第２アンテナを用いて前記データ送信を行い、前記第４アンテナから送信された第２制御信号を前記第１アンテナ及び前記第２アンテナにより受信し、前記第２制御信号の受信品質に基づいてデータ送信に用いるアンテナを前記第１アンテナ又は前記第２アンテナから選択し、選択された前記第１アンテナ又は前記第２アンテナを用いて前記データ送信を行う、ワイヤレスマイクシステムを提供する。
【００１３】
本開示は、第１アンテナ及び第２アンテナを有し、時分割多重通信方式に準じた無線通信が可能なマイクと、第３アンテナ及び第４アンテナを有し、前記無線通信が可能な受信機と、を備えたワイヤレスマイクシステムにおける無線通信方法であって、前記マイクは、前記無線通信の１フレームにおいて、前記第３アンテナから送信された第１制御信号を前記第１アンテナ及び前記第２アンテナにより受信し、前記第１制御信号の受信品質に基づいてデータ送信に用いるアンテナを前記第１アンテナ又は前記第２アンテナから選択し、選択された前記第１アンテナ又は前記第２アンテナを用いて前記データ送信を行い、前記第４アンテナから送信された第２制御信号を前記第１アンテナ及び前記第２アンテナにより受信し、前記第２制御信号の受信品質に基づいてデータ送信に用いるアンテナを前記第１アンテナ又は前記第２アンテナから選択し、選択された前記第１アンテナ又は前記第２アンテナを用いて前記データ送信を行う、無線通信方法を提供する。
【発明の効果】
【００１４】
本開示によれば、無線通信の親機としての受信機から子機としてのワイヤレスマイクに送信される制御信号の受信時における通信品質の安定化を支援でき、高品質な音声信号を提供できる。
【図面の簡単な説明】
【００１５】
【図１】実施の形態１に係るワイヤレスマイクシステムのシステム構成例を概略的に示す図
【図２】ＤＥＣＴ方式の通信で使用されるキャリアの周波数帯域を説明する図
【図３】受信機とマイク子機との間で無線信号が送受信されるタイムスロットを示す図
【図４】ＤＥＣＴ通信における信号のフレーム構成を示す図
【図５】マイク子機のハードウェア構成例を示すブロック図
【図６】受信機のハードウェア構成例を示すブロック図
【図７】制御信号が送受信されるタイムスロットを示す図である。
【図８】通信信号が送受信されるタイムスロットを示す図
【図９】受信機とマイク子機との間における無線通信の手順を示すシーケンス図
【図１０】実施の形態２に係る制御信号が送受信されるタイムスロットを示す図
【図１１】実施の形態３に係る制御信号が送受信されるタイムスロットを示す図
【図１２】通信信号が送受信されるタイムスロットを示す図
【図１３】実施の形態４における制御信号が送受信されるタイムスロットを示す図
【図１４】通信信号が送受信されるタイムスロットを示す図
【図１５】実施の形態４におけるマイク子機の動作手順を示すフローチャート
【図１６】実施の形態４の変形例におけるマイク子機の動作手順を示すフローチャート
【発明を実施するための形態】
【００１６】
以下、適宜図面を参照しながら、本開示に係るワイヤレスマイクシステム及び無線通信方法を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１７】
（実施の形態１）
図１は、実施の形態１に係るワイヤレスマイクシステム５のシステム構成例を概略的に示す図である。ワイヤレスマイクシステム５は、複数（例えば、ｍ個）のマイク子機（ワイヤレスマイク）２と、親機としての複数の受信機３と、ミキサー受信機８と、を含む構成である。ｍは２以上の整数である。以下の説明において、複数のマイク子機２Ｃ１，２Ｃ２，…，２Ｃｍのそれぞれを特に区別しない場合、マイク子機２という。図１では、例えばマイク子機２Ｃ１とマイク子機２Ｃ２は、受信機３ｗ１に属する（つまり、受信機３ｗ１を無線通信の相手（つまり、親機）として認識している）。また、マイク子機２Ｃ３とマイク子機２Ｃ４は、受信機３ｗ２に属する（つまり、受信機３ｗ２を無線通信の相手（つまり、親機）として認識している）。マイク子機２Ｃｍ−１とマイク子機２Ｃｍは、受信機３ｗｋに属する（つまり、受信機３ｗｋを無線通信の相手（つまり、親機）として認識している）。なお、１つの親機に属するマイク子機の数は、任意の数でよい。また、各マイク子機２は、複数の受信機３ｗ１〜３ｗｋに重複して属してもよい。例えば、全てのマイク子機２が全ての受信機３ｗ１〜３ｗｋに属してもよい。
【００１８】
マイク子機２とマイク子機２が属する受信機３との間では、無線信号（例えば、音声信号もしくは制御信号）が、時分割多元接続方式の通信規格（例えば、時分割多重通信方式）に則った無線回線を通じて送受信される。マイク子機２の使用者（ユーザ）はマイク子機２に音声を入力する（例えば声を発する）と、マイク子機２により収音された音声信号は、無線回線を通じて受信機３に送信される。各実施の形態において、時分割多重通信方式の通信規格として、例えば２０１１年に策定されたディジタルコードレス電話機の標準規格である周波数帯１．９ＧＨｚのＤＥＣＴ（Digital Enhanced Cordless Telecommunications）方式を用いる。
【００１９】
複数の受信機３は、それぞれの受信機３に属するマイク子機２から受信した音声信号をミキサー受信機８に出力する。ミキサー受信機８の筐体８ｚには、複数の受信機３にそれぞれ接続される信号線１４０が接続可能な複数のポートＰ（Ｐ１，Ｐ２，…，Ｐｍ）が配置される。ミキサー受信機８は、複数のポートＰにそれぞれ接続された複数の受信機３から入力した１つ以上の音声信号を合成し、音声合成後の音声信号を外部のスピーカＳＰＫ１から出力する。なお、各受信機３は、ミキサー受信機８に音声信号を送信すると共に、自機に接続されたスピーカＳＰＫ（図６参照）で音声を再生してもよい。
【００２０】
図２は、ＤＥＣＴ方式の通信で使用されるキャリアの周波数帯域を説明する図である。ＤＥＣＴ方式の通信は、１．９ＧＨｚ帯（具体的には、１８９５，６１６ＭＨｚ〜１９０２．５２８ＭＨｚ）において５つの周波数帯域が使用される。５つの周波数帯域は、具体的には、ｆ１（１８９５．６１６ＭＨｚ）を中心周波数とするキャリア（つまり、搬送波。以下同様。）と、ｆ２（１８９７．３４４ＭＨｚ）を中心周波数とするキャリアと、ｆ３（１８９９．０７２ＭＨｚ）を中心周波数とするキャリアと、ｆ４（１９００．８００ＭＨｚ）を中心周波数とするキャリアと、ｆ５（１９０２．５２８ＭＨｚ）を中心周波数とするキャリアと、ｆ６（１９０４．２５６ＭＨｚ）を中心周波数とするキャリアである。
【００２１】
これらの周波数帯域は、重ならないので、電波干渉が起こりにくく、通信障害を低減できる。また、１．９ＧＨｚ帯を用いるＤＥＣＴ通信は、例えば無線ＬＡＮ（Local Area Network）や電子レンジ等の機器が発する電波とも干渉しないので、ワイヤレスマイクシステムの音声品質を維持できる。また、受信機３は、ＤＥＣＴ通信の１フレーム期間毎に、各周波数帯域のチャネルの使用状況（例えば、キャリアやスロットなどのリソースの空き具合）を常時モニタリングしており、最適な周波数帯域のチャネルを選択することで、１．９ＧＨｚ帯を効率良く利用できる。
【００２２】
図３は、受信機３とマイク子機２との間で無線信号が送受信されるタイムスロットを示す図である。以下、タイムスロットを「スロット」と略記する。図４は、ＤＥＣＴ通信における信号のフレーム構成を示す図である。受信機３とそれぞれのマイク子機２との間では、１フレーム期間毎に、通信規格に従って定まる既定数（例えば、ｎ個）のスロットを用いて無線信号が送受信される。通信規格がＤＥＣＴ方式である場合、１フレーム期間が１０ｍｓに対応し、例えばｎ＝２４スロット（つまり、ダウンリンク用に１２スロット、アップリンク用に１２スロット）で構成される。
【００２３】
ＤＥＣＴ方式を用いた無線通信（以下、「ＤＥＣＴ通信」という）では、一般的に、ダウンリンク用のスロットＳ０〜スロットＳ１１は、受信機３からマイク子機２への通信に使用される。アップリンク用のスロットＳ１２〜スロットＳ２３は、マイク子機２から受信機３への通信に使用される。受信機３とマイク子機２との間の通信では、スロットＳ０とスロットＳ１２、スロットＳ１とスロットＳ１３などのように、１／２周期に対応する５ｍｓ離れた位置関係にあるスロットを組み合わせて（ペアスロットで）使用される。このペアスロットは、１つのチャネル（例えば、制御情報を送受信するための制御チャネル、音声信号を送受信するための通信チャネル）を構成する。
【００２４】
また、受信機３からマイク子機２へ送信が行われる１２スロット中、少なくとも１つのスロット（例えばスロットＳ０）は、受信機３からマイク子機２への制御情報が含まれた制御信号を送るための制御スロットとされる。制御信号は、１フレーム期間を構成する既定数のスロットのうち１つのスロットを用いて、受信機３からそれぞれのマイク子機２に送信される。なお、受信機３からマイク子機２への制御信号の送信中に電波干渉が発生した場合、空きスロット（言い換えると、未使用のスロット）を制御スロットとして使用してもよい。例えば、スロットＳ０で電波干渉等が発生した場合、受信機３は、制御スロットをスロットＳ０から他の空いているスロット（例えば、後述する切替用のスロット）に切り替えて使用してもよい。これと連動して、制御スロットに対する応答スロット（つまり、制御スロットに対する応答に用いられ、マイク子機２から受信機３への送信に使用されるスロット）は、スロットＳ１２から他の空いているスロット（例えば、同様に後述する切替用のスロット）に変更される。このように、受信機３は、ＤＥＣＴ通信の１フレーム期間毎に、制御チャネルや通信チャネルとして使用するスロットを、受信機３とマイク子機２のそれぞれとの間の電波状況等に応じて動的に決定する。例えば、コードレスフォン等の機器では、前半のスロットＳ０〜Ｓ１１では受信機が送信側でマイク子機が受信側であり、後半のスロットＳ１２〜Ｓ２３では受信機が受信側でマイク子機が送信側である。
【００２５】
一方、ワイヤレスマイクシステム５では、受信機３は、複数のマイク子機２のそれぞれから送信される音声信号を受信する。また、受信機３は、各マイク子機２に対して１フレーム期間中に１回、制御信号を送信すればよい。従って、本実施の形態では、前半のスロットＳ０〜Ｓ１１を、マイク子機２が送信側となるアップリンク用のスロット（通信スロット）として使用できるように、受信機３は、スロットＳ０〜Ｓ１１を動的に決める。
【００２６】
例えば、受信機３は、１フレーム期間内のスロットＳ０を制御信号を送るための制御チャネルとして決め、この制御チャネルを通じて制御信号をマイク子機２に送信する。制御信号に含まれる制御情報には、例えばシステム情報、スロット情報、キャリア情報である。具体的には、制御情報は、例えば、キャリアかつスロットを用いた通信相手であるマイク子機２の識別情報とそのキャリアやスロットの識別情報、各スロットのビジー状態、使用可能な空きスロットの指定、接続されているマイク子機の数、受信機の無線エラー状況、無線干渉によるスロット切り換え等の情報が含まれる。
【００２７】
ＤＥＣＴ通信の１フレームを構成するそれぞれのスロットは、４１６．６７μｓ（＝１０ｍｓ／２４）の時間幅で規定され、具体的には、同期信号フィールドと制御ビットフィールドとＣＲＣ１フィールドとデータビットフィールドとＣＲＣ２フィールドとから構成される。同期信号フィールドは、プリアンブル区間と同期ビットとから構成される。同期信号フィールドは、ビット同期を取るためのデータ列（プリアンブル区間）とスロットの同期を取るためのデータ列（同期ビット）とから構成される固定データを含む。ダイバーシティ方式による無線通信を行う場合、プリアンブル区間において、２つのアンテナを切り替え、通信品質の良い（例えば受信レベルが大きい）アンテナが選択され、同期ビット以降のフィールドを受信する動作が行われる。制御ビットフィールドは、上述した制御信号を含む。制御信号に含まれる制御情報の量が多くなる場合、例えば制御ビットフィールドだけではなく、データビットフィールドの領域の一部を使用してもよい。ＣＲＣ１フィールドは、制御ビットフィールドのデータ列に基づいて算出されたＣＲＣ（Cyclic Redundancy Check：巡回冗長検査）符号を含み、制御ビットフィールドの伝送誤り検出に用いられる。データビットフィールドは音声通信に用いられる。ＣＲＣ２フィールドは、データビットフィールドのデータ列に基づいて算出されたＣＲＣ符号を含み、データビットフィールドの伝送誤り検出に用いられる。
【００２８】
図５は、マイク子機２のハードウェア構成例を示すブロック図である。マイクの一例としてのマイク子機２は、マイク制御部１０と、マイク無線部１１と、アンテナ切替スイッチ１２と、２本のマイクアンテナＷ１，Ｗ２とを含む構成である。マイク子機２は、２本のマイクアンテナＷ１，Ｗ２を用いて、受信機３との間でダイバーシティ方式による無線通信を行う。アンテナ切替スイッチ１２は、マイク制御部１０からの指示に従い、マイクアンテナＷ１及びマイクアンテナＷ２のどちらかを選択し、マイク無線部１１に接続されるアンテナを、選択されたマイクアンテナＷ１又はマイクアンテナＷ２に切り替える。
【００２９】
また、マイク子機２は、ユーザインタフェースとしての音質設定ボタンや電源をＯＮ／ＯＦＦするスイッチを含む操作部１３と、操作部１３による設定内容等を表示する表示部１４と、不揮発性メモリで構成された記憶部１５とを有する。記憶部１５には、信号の受信レベルと比較される閾値、及び信号の受信エラー回数と比較される所定数が記憶されている。受信エラー回数は、例えば、各スロットに含まれるＣＲＣ１フィールド、ＣＲＣ２フィールドを用いて行われるＣＲＣ（巡回冗長検査）を用いて計数される。閾値は、通信品質を維持するために受信信号強度(ＲＳＳＩ：Received Signal Strength Indication)の下限値に設定される。所定数は、通信品質を維持するために受信エラー回数の上限値に設定される。
【００３０】
また、マイク子機２は、マイク子機２の各部に電力を供給する電池１６と、デュアルポートＲＡＭ（Random Access Memory）で構成され、リングバッファとして機能するメモリ１７と、マイク音声処理部１８と、音声を入力するマイクロフォン１９とを含む構成を有する。
【００３１】
マイク制御部１０は、記憶部１５とバス等で結合されるＣＰＵ（Central Processing Unit）を備える。マイク制御部１０は、マイク子機２の各部の動作を制御し、例えば音質設定ボタンが押下されたことを検出する。また、マイク制御部１０は、マイク無線部１１やマイク音声処理部１８に対し、これらの動作タイミングを設定する。
【００３２】
図６は、受信機３のハードウェア構成例を示すブロック図である。受信機３は、マイク子機２と無線通信を行う受信機であり、受信機とも称される。受信機３は、各部を制御する制御部の一例としての制御部２０と、無線制御部３１と、無線部２１と、アンテナ切替スイッチ２２と、２本のアンテナＷＡ，ＷＢと、メモリ２７とを含む構成を有する。受信機３は、２本のアンテナＷＡ，ＷＢを用いて、マイク子機２との間でダイバーシティ方式による無線通信を行うことが可能である。アンテナ切替スイッチ２２は、制御部２０からの指示に従い、アンテナＷＡ及びアンテナＷＢのどちらかを選択し、無線部２１に接続されるアンテナを、選択されたアンテナＷＡ又はアンテナＷＢに切り替える。
【００３３】
また、受信機３は、操作部２３と、表示部２４と、記憶部２５とを含む構成である。操作部２３は、ユーザインタフェースとしての音量ボリュームや電源スイッチを含む。表示部２４は、操作部２３による設定内容等を表示する。記憶部２５は、不揮発性メモリで構成される。また、受信機３は、電源２６と、音声処理部２８と、音声出力部２９と、有線通信部３０とを含む構成である。
【００３４】
電源２６は、受信機３の各部に電力を供給する。電源２６は、ミキサー受信機８から信号線１４０を通じて供給される電圧を受電する。また、電源２６は、商用化電源やＡＣアダプタ等の外部入力から構成してもよい。音声出力部２９は、外部のスピーカＳＰＫ２と接続して音声を再生する。有線通信部３０は、信号線１４０を介してミキサー受信機８に接続され、受信機３で音声処理されたマイク子機２からの音声信号をミキサー受信機８に伝送する。
【００３５】
制御部２０は、記憶部２５とバス等で結合されている。制御部２０は、受信機３の各部の動作を制御し、操作部２３を介して入力された操作内容を取得する。
【００３６】
また、制御部２０は、マイク子機２から送信された圧縮信号の伝送エラーを検出する。具体的に、制御部２０は、無線部２１がマイク子機２から送信された圧縮信号を受信した際、エラー検出フィールドであるＣＲＣ２フィールド５４を参照することで、伝送エラーの有無を検出する。制御部２０は、無線通信のクロックを無線制御部３１に供給する。無線制御部３１は、マイク子機２との無線接続を制御し、制御部２０から指定されたキャリア及びスロットを、無線部２１に指示する。つまり、無線制御部３１は、指定されたキャリアかつスロットに対応付けられたマイク子機２と通信を行うように、無線部２１を制御する。無線部２１（無線通信部の一例）は、アンテナＷＡ又はアンテナＷＢを介して、指定されたキャリア及びスロットでマイク子機２との間で通信を行う。また、無線部２１は、ワイヤレスマイクシステムの同期を制御するための無線制御信号を生成し、定期的に送信可能である。また、無線制御部３１は、マイク子機２からの音声信号をメモリ２７に記憶する。メモリ２７は、デュアルポートＲＡＭで構成され、リングバッファとして機能する。
【００３７】
次に、高品質ワイヤレスマイクシステムにおける非対称通信を示す。図７は、制御信号が送受信されるタイムスロットを示す図である。図８は、通信信号が送受信されるタイムスロットを示す図である。
【００３８】
受信機３は、１フレーム期間において、スロットＳ０でアンテナＷＡを使用して制御信号を送信する。マイク子機２は、スロットＳ０のプリアンブル区間でマイクアンテナＷ１，Ｗ２で制御信号を受信し、マイクアンテナＷ１，Ｗ２のうち、受信レベルが大きい方のマイクアンテナを選択する。例えば、マイクアンテナＷ１が選択されたことを想定する。
【００３９】
マイク子機（ワイヤレスマイク）２は、スロットＳ０で選択されたマイクアンテナＷ１を使用し、スロットＳ４で通信信号を送信する。受信機３は、スロットＳ４のプリアンブル区間でアンテナＷＡ，ＷＢで通信信号を受信し、アンテナＷＡ，ＷＢのうち、受信レベルが大きい方のアンテナを選択し、通信信号を取得する。例えば、アンテナＷＢが選択されたことを想定する。なお、受信機３は、同じ１フレーム期間におけるスロットＳ１２で、選択したアンテナＷＢを使用し、制御信号を送信してもよい。
【００４０】
また、１フレーム期間におけるスロットＳ１２で、受信機３は、送信に使用するアンテナをアンテナＷＡからアンテナＷＢに切り替え（入れ替え）、アンテナＷＢを使用して制御信号を送信する。マイク子機２は、スロットＳ１２のプリアンブル区間でマイクアンテナＷ１，Ｗ２で制御信号を受信し、マイクアンテナＷ１，Ｗ２のうち、受信レベルが大きい方のマイクアンテナを選択する。例えば、マイクアンテナＷ２が選択されたことを想定する。
【００４１】
マイク子機２は、スロットＳ１２で選択されたマイクアンテナＷ２を使用し、スロットＳ１６で通信信号を送信する。受信機３は、スロットＳ１６のプリアンブル区間でアンテナＷＡ，ＷＢで通信信号を受信し、アンテナＷＡ，ＷＢのうち、受信レベルが大きい方のアンテナを選択し、通信信号を取得する。例えば、アンテナＷＡが選択されたことを想定する。なお、受信機３は、次の１フレーム期間におけるスロットＳ０で、選択したアンテナＷＡを使用し、制御信号を送信してもよい。
【００４２】
図９は、受信機３とマイク子機２との間における無線通信の手順を示すシーケンス図である。Ｎ番目の１フレームの前半では、受信機３は、スロットＳ０でアンテナＷＡを使用して制御信号ｓｃＡをマイク子機２に送信する。マイク子機２は、スロットＳ０でアンテナＷＡから送信される制御信号ｓｃＡを、マイクアンテナＷ１，Ｗ２の双方で受信し、通信品質の良いアンテナを選択する（Ｔ１）。通信品質の良いアンテナは、受信レベルの大きいアンテナであってもよいし、通信エラーの無い方のアンテナであってもよい。
【００４３】
マイク子機２は、スロットＳ０で選択されたマイクアンテナＷ１，Ｗ２の一方を使用し、スロットＳ４で通信信号を送信する（Ｔ２）。受信機３は、スロットＳ４でマイクアンテナＷ１，Ｗ２の一方を使用して送信された通信信号（通話信号）を、アンテナＷＡ，ＷＢの双方で受信する。
【００４４】
Ｎ番目の１フレームの後半では、受信機３は、スロットＳ１２でアンテナＷＢを使用して制御信号ｓｃＢをマイク子機２に送信する。マイク子機２は、スロットＳ１２でアンテナＷＢから送信される制御信号ｓｃＢを、マイクアンテナＷ１，Ｗ２の双方で受信し、通信品質の良いアンテナを選択する（Ｔ３）。通信品質の良いアンテナは、受信レベルの大きいアンテナであってもよいし、通信エラーの無い方のアンテナであってもよい。
【００４５】
マイク子機２は、スロットＳ１２で選択されたマイクアンテナＷ１，Ｗ２の一方を使用し、スロットＳ１６で通信信号を送信する（Ｔ４）。受信機３は、スロットＳ１６でマイクアンテナＷ１，Ｗ２の一方を使用して送信された通信信号を、アンテナＷＡ，ＷＢの双方で受信する。
【００４６】
Ｎ＋１番目の１フレームにおいても、上記手順Ｔ１〜Ｔ４と同様の手順Ｔ５〜Ｔ８で無線通信が行われる。
【００４７】
このように、受信機３は、２つのアンテナＷＡ，ＷＢを有し、制御信号の受信の不安定さを解消するために、２つのアンテナＷＡ，ＷＢのうち、スロットＳ０で一方のアンテナで制御信号を送信し、スロットＳ１２で他方のアンテナで制御信号を送信する動作を行う。スロットＳ１２の制御信号の送信の追加によって、マイク子機２は、安定して制御信号を受信できる。
【００４８】
また、マイク子機２は、スロットＳ０，Ｓ１２で受信した制御信号の受信レベルを基に、受信レベルの高いマイクアンテナＷ１，Ｗ２を選択し、選択されたマイクアンテナを使用し、通信信号を受信機３に送信する。従って、高品質ワイヤレスマイクシステムのマイク子機においても、ダイバーシティを実現でき、通信品質の良い通信信号を受信機に送信できる。
【００４９】
また、上記例では、受信機３は、２つのアンテナＷＡ，ＷＢのうち、スロットＳ１２でアンテナＷＡからアンテナＷＢに強制的に切り替えて制御信号を送信していた。この切り替えによることなく、受信機３は、スロットＳ４，Ｓ１６で受信した通信信号の受信レベルを基に、受信レベルの高いアンテナＷＡ，ＷＢを選択し、選択されたアンテナを使用し、制御信号をマイク子機２に送信することも可能である。この場合、スロットＳ４とＳ１２で同じアンテナを使用することもあり得る。これにより、受信機３及びマイク子機２の双方で、ダイバーシティを実現でき、通信品質の良いアンテナを使用し、マイク子機２に制御信号を安定して送信できる。
【００５０】
以上により、実施の形態１に係るワイヤレスマイクシステム５は、マイクアンテナＷ１（第１アンテナの一例）及びマイクアンテナＷ２（第２アンテナの一例）を有し、時分割多重通信方式に準じた無線通信が可能なマイク子機２（マイクの一例）と、アンテナＷＡ（第３アンテナの一例）及びアンテナＷＢ（第４アンテナの一例）を有し、無線通信が可能な受信機３と、を備える。マイク子機２は、無線通信の１フレームにおいて、アンテナＷＡから送信された制御信号ｓｃＡ（第１制御信号の一例）をマイクアンテナＷ１及びマイクアンテナＷ２により受信する。マイク子機２は、制御信号ｓｃＡの受信品質に基づいて通信信号の送信（データ送信の一例）に用いるマイクアンテナをマイクアンテナＷ１又はマイクアンテナＷ２から選択する。マイク子機２は、選択されたマイクアンテナＷ１又はマイクアンテナＷ２を用いて通信信号を送信する。また、マイク子機２は、アンテナＷＢから送信された制御信号ｓｃＢ（第２制御信号の一例）をマイクアンテナＷ１及びマイクアンテナＷ２により受信する。マイク子機２は、制御信号ｓｃＢの受信品質に基づいて通信信号の送信に用いるマイクアンテナをマイクアンテナＷ１又はマイクアンテナＷ２から選択する。マイク子機２は、選択されたマイクアンテナＷ１又はマイクアンテナＷ２を用いて通信信号を送信する。
【００５１】
このように、マイク子機は、ＤＥＣＴ方式の無線通信の１フレーム期間において、受信機に備わる複数のアンテナ（ここでは、２つのアンテナ）からの制御信号を受信することによって、通信品質の良好なアンテナを選択するアンテナダイバーシティを行うことができる。これにより、ワイヤレスマイクにおいて受信機からの制御信号を安定的な受信でき、ワイヤレスマイクと受信機との安定的な無線通信が実現される。
【００５２】
また、ワイヤレスマイクシステム５では、受信機３は、無線通信の１フレームの前半期間において、制御信号ｓｃＡをアンテナＷＡから送信する。受信機３は、無線通信の１フレームの後半期間において、制御信号ｓｃＢをアンテナＷＢから送信する。これにより、通信ペアで使用するマイクアンテナを１フレームの半分の区間でそれぞれ最適なものにできる。
【００５３】
（実施の形態２）
実施の形態１では、１フレーム期間の前半（スロットＳ０〜Ｓ１１）で使用されるアンテナは、アンテナＷＡであり、後半（スロットＳ１２〜Ｓ２３）で使用されるアンテナは、アンテナＷＢであることに固定されていた。実施の形態２では、前半及び後半で使用されるアンテナを、例えば一定時間毎に切り替える。
【００５４】
図１０は、実施の形態２に係る制御信号が送受信されるタイムスロットを示す図である。スロットＳ０〜Ｓ１１の間で使用するアンテナを、一定時間が経過すると、アンテナＷＡからアンテナＷＢに切り替え、再び一定時間が経過すると、アンテナＷＢからアンテナＷＡに切り替える動作を繰り返す。つまり、受信機３は、スロットＳ０〜Ｓ１１において、Ｎ番目の一定時間では、アンテナＷＡを使用して制御信号ｓｃＡをマイク子機２に送信し、Ｎ＋１番目の一定時間では、アンテナＷＢを使用して制御信号ｓｃＡをマイク子機２に送信する。
【００５５】
同様に、スロットＳ１２〜Ｓ２３の間で使用するアンテナを、一定時間が経過すると、アンテナＷＢからアンテナＷＡに切り替え、再び一定時間が経過すると、アンテナＷＡからアンテナＷＢに切り替える動作を繰り返す。つまり、受信機３は、スロットＳ１２〜Ｓ２３において、Ｎ番目の一定時間では、アンテナＷＢを使用して制御信号ｓｃＢをマイク子機２に送信し、Ｎ＋１番目の一定時間では、アンテナＷＡを使用して制御信号ｓｃＢをマイク子機２に送信する。
【００５６】
ここで、一定時間は、任意の時間でよく、例えば２０フレームの期間に相当する２００ｍｓｅｃが挙げられる。なお、所定時間は、一定時間でなく、不規則な値を出力する乱数に相当する時間、つまり特に定まっていない時間であってもよい。
【００５７】
以上により、実施の形態２に係るワイヤレスマイクシステム５では、受信機３は、所定時間の経過後に、アンテナＷＡ及びアンテナＷＢの一方に切り替えて制御信号ｓｃＡを送信し、アンテナＷＡ及びアンテナＷＢの他方に切り替えて制御信号ｓｃＢを送信する、動作を繰り返す。これにより、緩やかなアンテナＷＡ，ＷＢ間の受信レベルの変動を吸収することができ、ワイヤレスマイクシステムの通信を安定させることができる。
【００５８】
（実施の形態３）
実施の形態１では、受信機が２回目の制御信号を送信するスロットは、スロットＳ１２であった。実施の形態３では、受信機が２回目の制御信号を送信するスロットを、実施の形態１よりも前に設定する場合を示す。
【００５９】
図１１は、実施の形態３に係る制御信号が送受信されるタイムスロットを示す図である。受信機３は、スロットＳ０でアンテナＷＡを使用して制御信号ｓｃＡを送信する。マイク子機２は、スロットＳ０でマイクアンテナＷ１，Ｗ２を使用して制御信号ｓｃＡを受信し、通信品質の良いマイクアンテナＷ１，Ｗ２を選択する。
【００６０】
また、受信機３は、スロットＳ０で使用したアンテナＷＡからアンテナＷＢに切り替え、スロットＳ６で２回目の制御信号ｓｃＢを送信する。マイク子機２は、スロットＳ６でマイクアンテナＷ１，Ｗ２を使用して制御信号ｓｃＢを受信し、通信品質の良いマイクアンテナＷ１，Ｗ２を選択する。なお、受信機３が２回目の制御信号を送信するスロットは、スロットＳ６に限定されず、任意のスロットでよい。
【００６１】
図１２は、通信信号が送受信されるタイムスロットを示す図である。マイク子機２は、スロットＳ０で選択した通信品質の良いマイクアンテナＷ１，Ｗ２の一方を使用し、スロットＳ４で通信信号を送信する。また、マイク子機２は、スロットＳ６で選択した通信品質の良いマイクアンテナＷ１，Ｗ２の一方を使用し、スロットＳ１６で通信信号を送信する。
【００６２】
以上により、実施の形態３に係るワイヤレスマイクシステム５では、受信機３は、無線通信の１フレームの前半期間において、制御信号ｓｃＡをアンテナＷＡから送信する。受信機３は、無線通信の１フレームの前半期間において、制御信号ｓｃＢをアンテナＷＢから送信する。
【００６３】
これにより、受信機３は、１フレームの前半期間（送信用スロット）でアンテナＷＡ，ＷＢを使用してどちらからも制御信号を送信する。これにより、受信機３は、通信ペアで使用するマイクアンテナを１フレームの区間でそれぞれ最適なものにできる。また、例えば１回目の制御信号ｓｃＡを送出後、直ぐに２回目の制御信号ｓｃＢを送出し、その後マイクの通信信号を送信するようなケースでも、制御信号はｓｃＡとｓｃＢの受信状態に応じて適宜選択され、また、マイク子機２が送信に使用するアンテナは、送信スロットの直前の制御信号の受信時に選択したアンテナで送信することで同様の効果を得ることができ、設計の自由度が高まる。
【００６４】
（実施の形態４）
図１３は、実施の形態４における制御信号が送受信されるタイムスロットを示す図である。受信機３は、スロットＳ０でアンテナＷＡを使用して制御信号ｓｃＡを送信する。マイク子機２は、スロットＳ０でマイクアンテナＷ１，Ｗ２を使用して制御信号ｓｃＡを受信し、通信品質の良いマイクアンテナＷ１，Ｗ２を選択する。
【００６５】
また、受信機３は、スロットＳ０で使用したアンテナＷＡからアンテナＷＢに切り替え、スロットＳ６で２回目の制御信号ｓｃＢを送信する。一方、マイク子機２は、スロットＳ０でアンテナＷＡを使用して受信機３から送信される制御信号の受信レベルを受信信号強度で計測し、受信レベルが閾値を超えるか否かを判別する。受信レベルが閾値を超える場合、マイク子機２は、受信機３がスロットＳ６でアンテナＷＢを使用して送信される２回目の制御信号ｓｃＡを受信しない（図中、破線で受信しないことを表示）。
【００６６】
また、マイク子機２は、スロットＳ０でアンテナＷＡを使用して受信機３から送信される制御信号の受信レベルが閾値以下である場合、スロットＳ６でアンテナＷＢを使用して送信される２回目の制御信号ｓｃＢを受信する。マイク子機２は、２回目の制御信号ｓｃＢの受信レベルを基に、送信に使用するマイクアンテナＷ１，Ｗ２のうち一方を選択する。
【００６７】
図１４は、通信信号が送受信されるタイムスロットを示す図である。マイク子機２は、スロットＳ０で選択したマイクアンテナＷ１，Ｗ２の一方を使用し、スロットＳ４で通信信号を送信する。また、マイク子機２は、スロットＳ６で２回目の制御信号ｓｃＢを受信しない場合、スロットＳ０で選択したマイクアンテナＷ１，Ｗ２の一方を使用し、スロットＳ１６で通信信号を送信する。
【００６８】
図１５は、実施の形態４におけるマイク子機２の動作手順を示すフローチャートである。マイク子機２のマイク制御部１０は、受信機３との無線通信中、前回のフレームで制御信号ｓｃＡを受信したか否かを判別する（ＳＴ１）。制御信号ｓｃＡは、アンテナＷＡを使用して送信される制御信号である。
【００６９】
前回のフレームで制御信号ｓｃＡを受信した場合、マイク制御部１０は、今回のフレームで制御信号ｓｃＡを受信する（ＳＴ２）。マイク制御部１０は、受信した制御信号ｓｃＡの受信レベルが記憶部１５に記憶された閾値以下であるか否かを判別する（ＳＴ３）。閾値以下である場合、マイク制御部１０は、制御信号ｓｃＢを受信する（ＳＴ４）。
【００７０】
マイク制御部１０は、受信した制御信号ｓｃＢの受信レベルが制御信号ｓｃＡの受信レベルより高いか否かを判別する（ＳＴ５）。制御信号ｓｃＢの受信レベルが制御信号ｓｃＡの受信レベルより高い場合、マイク制御部１０は、マイクアンテナＷ１，Ｗ２の選択に使用する制御信号を制御信号ｓｃＢに変更する（ＳＴ６）。この後、マイク制御部１０は、ステップＳＴ１の処理に戻る。
【００７１】
一方、ステップＳＴ５で制御信号ｓｃＢの受信レベルが制御信号ｓｃＡの受信レベル以下である場合、また、ステップＳＴ３で制御信号ｓｃＡが記憶部１５に記憶された閾値を超える場合、マイク子機２は、マイクアンテナＷ１，Ｗ２の選択に使用する制御信号を制御信号ｓｃＡとする（ＳＴ７）。この後、マイク制御部１０は、ステップＳＴ１の処理に戻る。
【００７２】
また、ステップＳＴ１で前回のフレームで制御信号ｓｃＡを受信していない場合、マイク制御部１０は、今回のフレームで制御信号ｓｃＢを受信する（ＳＴ８）。マイク制御部１０は、受信した制御信号ｓｃＢの受信レベルが記憶部１５に記憶された閾値以下であるか否かを判別する（ＳＴ９）。閾値以下である場合、マイク制御部１０は、制御信号ｓｃＡを受信する（ＳＴ１０）。
【００７３】
マイク制御部１０は、受信した制御信号ｓｃＡの受信レベルが制御信号ｓｃＢの受信レベルより高いか否かを判別する（ＳＴ１１）。制御信号ｓｃＡの受信レベルが制御信号ｓｃＢの受信レベルより高い場合、マイク制御部１０は、マイクアンテナＷ１，Ｗ２の選択に使用する制御信号を制御信号ｓｃＡに変更する（ＳＴ１２）。この後、マイク制御部１０は、ステップＳＴ１の処理に戻る。
【００７４】
一方、ステップＳＴ１１で制御信号ｓｃＡの受信レベルが制御信号ｓｃＢの受信レベル以下である場合、また、ステップＳＴ９で制御信号ｓｃＢの受信レベルが記憶部１５に記憶された閾値を超える場合、マイク子機２は、マイクアンテナＷ１，Ｗ２の選択に使用する制御信号を制御信号ｓｃＢとする（ＳＴ１３）。この後、マイク制御部１０は、ステップＳＴ１の処理に戻る。
【００７５】
以上により、実施の形態４に係るワイヤレスマイクシステム５では、マイク子機２は、受信した制御信号ｓｃＡの受信レベルが閾値を超える場合、制御信号ｓｃＢを受信しない。マイク子機２は、受信した制御信号ｓｃＡの受信レベルが閾値以下である場合、制御信号ｓｃＢを受信する。マイク子機２は、制御信号ｓｃＢの受信品質に基づいて選択されたマイクアンテナＷ１又はマイクアンテナＷ２を用いて通信信号を送信する。
【００７６】
このように、１回目の制御信号の受信レベルが閾値を超える場合、マイク子機は、１フレーム期間内の２回目の制御信号を受信しない。従って、マイク子機が２回目の制御信号を受信するために要する使用電力を抑えることができ、電池の長寿命化に繋がる。
【００７７】
（実施の形態４の変形例）
図１６は、実施の形態４の変形例におけるマイク子機２の動作手順を示すフローチャートである。マイク子機２のマイク制御部１０は、受信機３との無線通信中、前回のフレームで制御信号ｓｃＡを受信したか否かを判別する（ＳＴ２１）。
【００７８】
前回のフレームで制御信号ｓｃＡを受信した場合、マイク制御部１０は、今回のフレームで制御信号ｓｃＡを受信する（ＳＴ２２）。マイク制御部１０は、受信した制御信号ｓｃＡの受信エラー回数が記憶部１５に記憶された所定数以上であるか否かを判別する（ＳＴ２３）。制御信号ｓｃＡの受信エラー回数は、スロットのＣＲＣ１フィールド、ＣＲＣ２フィールドにおけるＣＲＣ（巡回冗長検査）の結果から得られる。受信エラー回数が所定数以上である場合、マイク制御部１０は、制御信号ｓｃＢを受信する（ＳＴ２４）。
【００７９】
マイク制御部１０は、受信した制御信号ｓｃＢの受信エラー回数が所定数以下であるか否かを判別する（ＳＴ２５）。制御信号ｓｃＢの受信エラー回数が所定数以下である場合、マイク制御部１０は、マイクアンテナＷ１，Ｗ２の選択に使用する制御信号を制御信号ｓｃＢに変更する（ＳＴ２６）。この後、マイク制御部１０は、ステップＳＴ２１の処理に戻る。
【００８０】
一方、ステップＳＴ２５で制御信号ｓｃＢの受信エラー回数が所定数を超える場合、また、ステップＳＴ２３で制御信号ｓｃＡの受信エラー回数が所定数未満である場合、マイク子機２は、マイクアンテナＷ１，Ｗ２の選択に使用する制御信号を制御信号ｓｃＡとする（ＳＴ２７）。この後、マイク制御部１０は、ステップＳＴ２１の処理に戻る。
【００８１】
また、ステップＳＴ２１で前回のフレームで制御信号ｓｃＡを受信していない場合、マイク制御部１０は、今回のフレームで制御信号ｓｃＢを受信する（ＳＴ２８）。マイク制御部１０は、受信した制御信号ｓｃＢの受信エラー回数が記憶部１５に記憶された所定数以上であるか否かを判別する（ＳＴ２９）。所定数以上である場合、マイク制御部１０は、制御信号ｓｃＡを受信する（ＳＴ３０）。
【００８２】
マイク制御部１０は、受信した制御信号ｓｃＡの受信エラー回数が所定数以下であるか否かを判別する（ＳＴ３１）。制御信号ｓｃＡの受信エラー回数が所定数以下である場合、マイク制御部１０は、マイクアンテナＷ１，Ｗ２の選択に使用する制御信号を制御信号ｓｃＡに変更する（ＳＴ３２）。この後、マイク制御部１０は、ステップＳＴ２１の処理に戻る。
【００８３】
一方、ステップＳＴ３１で制御信号ｓｃＡの受信エラー回数が所定数を超える場合、また、ステップＳＴ９で制御信号ｓｃＢが所定数未満である場合、マイク子機２は、マイクアンテナＷ１，Ｗ２の選択に使用する制御信号を制御信号ｓｃＢとする（ＳＴ３３）。この後、マイク制御部１０は、ステップＳＴ２１の処理に戻る。
【００８４】
以上により、実施の形態４の変形例に係るワイヤレスマイクシステム５では、マイク子機２は、受信した制御信号ｓｃＡの受信エラー回数が所定数未満である場合、制御信号ｓｃＢを受信しない。マイク子機２は、受信した制御信号ｓｃＡの受信エラー回数が所定数以上である場合、制御信号ｓｃＢを受信する。マイク子機２は、制御信号ｓｃＢの受信品質に基づいて選択されたマイクアンテナＷ１又はマイクアンテナＷ２を用いて通信信号を送信する。
【００８５】
このように、１回目の制御信号の受信エラー回数が所定数未満である場合、マイク子機は、１フレーム期間内の２回目の制御信号を受信しない。従って、マイク子機が２回目の制御信号を受信するために要する使用電力を抑えることができ、電池の長寿命化に繋がる。
【００８６】
また、制御信号の受信レベルが大きい場合でもノイズが多い環境では受信エラーが発生することがある。従って、受信エラー回数の多寡によって２回目の制御信号の受信を決定することは、実際の使用環境に適している。
【００８７】
以上、添付図面を参照しながら各種の実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した各種の実施の形態における各構成要素を任意に組み合わせてもよい。
【００８８】
例えば、上記実施の形態では、受信機及びマイク子機は、それぞれ２つのアンテナを用いてダイバーシティ方式による通信を行ったが、３つ以上のアンテナを用いてダイバーシティ方式による通信を行ってもよい。
【産業上の利用可能性】
【００８９】
本開示は、無線通信の親機としての受信機から子機としてのワイヤレスマイクに送信される制御信号の受信時における通信品質の安定化を支援し、高品質な音声信号を提供するワイヤレスマイクシステム及び無線通信方法として有用である。
【符号の説明】
【００９０】
２  マイク子機
３  受信機
５  ワイヤレスマイクシステム
１０  マイク制御部
２０  制御部
Ｗ１、Ｗ２  マイクアンテナ
ＷＡ、ＷＢ  アンテナ
【図１】
2019149653.tif 000003
【図２】
2019149653.tif 000004
【図３】
2019149653.tif 000005
【図４】
2019149653.tif 000006
【図５】
2019149653.tif 000007
【図６】
2019149653.tif 000008
【図７】
2019149653.tif 000009
【図８】
2019149653.tif 000010
【図９】
2019149653.tif 000011
【図１０】
2019149653.tif 000012
【図１１】
2019149653.tif 000013
【図１２】
2019149653.tif 000014
【図１３】
2019149653.tif 000015
【図１４】
2019149653.tif 000016
【図１５】
2019149653.tif 000017
【図１６】
2019149653.tif 000018